(57)【要約】    【課題】  本発明の目的は、直立チューブとガススプリングのハウジングが互いに対して確定した回転角度の位置をとることができ、またそれらがこの位置を維持するように高さ調節可能な椅子の支柱を具体化することである。    【解決手段】  高さ調節可能な椅子の支柱は、直立チューブ（１）とガススプリング（４）とを有する。ピストンロッド（１２）は直立チューブ（１）に固定され、ハウジング（６）は直立チューブ（１）において移動可能にガイドされる。回転に抗する安全装置（２、２４、２７）が備えられ、それは伸びた位置において、回転に抗してハウジング（６）及び直立チューブ（１）を鎖錠する。  【選択図】    図２
2005205207.tif 000002
【特許請求の範囲】
【請求項１】
中央縦軸（３）を有する直立チューブ（１）と、上記中央縦軸（３）と同軸に上記直立チューブ（１）に配置されたガススプリング（４）と、伸びた位置において、回転に抗してハウジング（６）及び上記直立チューブ（１）を鎖錠する、回転に抗する安全装置（２、２４、２７）とを有する高さ調節可能な椅子の支柱にして、
上記ガススプリングが、上記中央縦軸（３）の方向に、上記直立チューブ（１）内部で、伸びた位置まで移動可能なハウジング（６）と、上記直立チューブ（１）に固定されたピストンロッド（１２）を有する
高さ調節可能な椅子の支柱。
【請求項２】
請求項１に記載の高さ調節可能な椅子の支柱において、上記回転に抗する安全装置（２、２４、２７）はポジティブフィットにより作動するように構成されることを特徴とする高さ調節可能な椅子の支柱。
【請求項３】
請求項１又は２に記載の高さ調節可能な椅子の支柱において、上記ハウジング（６）と上記直立チューブ（１）の間の所与の回転モーメントを超えるとき、上記回転に抗する安全装置（２、２４、２７）が解除するように構成されることを特徴とする高さ調節可能な椅子の支柱。
【請求項４】
請求項１〜３のいずれか一項に記載の高さ調節可能な椅子の支柱において、上記回転に抗する安全装置（２、２４、２７）が、上記ハウジング（６）に結合した鎖錠要素（２７）と、上記直立チューブ（１）に結合した鎖錠合口部（２４）を有することを特徴とする高さ調節可能な椅子の支柱。
【請求項５】
請求項４に記載の高さ調節可能な椅子の支柱において、上記鎖錠要素（２７）及び／又は上記鎖錠合口部（２４）が、少なくとも一つの切抜部（２８、２９）と、そこに割り当てられ適合する少なくとも一つの鎖錠リブ（３０、３１）を有することを特徴とする高さ調節可能な椅子の支柱。
【請求項６】
請求項５に記載の高さ調節可能な椅子の支柱において、上記少なくとも一つの切抜部（２８、２９）と上記少なくとも一つの鎖錠リブ（３０、３１）が、開口角（ａ）の適合傾斜面（３２、３３）を有することを特徴とする高さ調節可能な椅子の支柱。
【請求項７】
請求項６に記載の高さ調節可能な椅子の支柱において、それぞれの切抜部（２８、２９）及びそれぞれの鎖錠リブ（３０、３１）が適合傾斜面（３２、３３）を有することを特徴とする高さ調節可能な椅子の支柱。
【請求項８】
請求項６又は７に記載の高さ調節可能な椅子の支柱において、５°≦ａ≦２５°、好ましくは１０°≦ａ≦１５°が開口角ａに当てはまることを特徴とする高さ調節可能な椅子の支柱。
【請求項９】
請求項６〜８のいずれか一項に記載の高さ調節可能な椅子の支柱において、全ての傾斜面（３２、３３）が、伸びた位置において互いをふさぐことを特徴とする高さ調節可能な椅子の支柱。
【請求項１０】
請求項９に記載の高さ調節可能な椅子の支柱において、伸びた位置において、切抜部（２８、２９）の底部（３４、３５）と、上記切抜部（２８、２９）と係合する上記鎖錠リブ（３０、３１）の間に、隙間（３６、３７）が存在することを特徴とする高さ調節可能な椅子の支柱。
【請求項１１】
請求項５又は６に記載の高さ調節可能な椅子の支柱において、ただ一つの適合した切抜部（２８、２９）がそれぞれの鎖錠リブ（３０、３１）に割り当てられることを特徴とする高さ調節可能な椅子の支柱。
【発明の詳細な説明】
【技術分野】
【０００１】
本発明は高さ調節可能な椅子の支柱に関する。
【背景技術】
【０００２】
一般タイプの椅子の支柱は広く知られている。それらは、長さ調節可能なガススプリングを有し、そのハウジングは直立チューブに移動可能に案内されている。直立チューブは台座に固定されているのに対して、ガススプリングのハウジングは直立チューブ、原則として直立チューブに設けられたガイドブッシュに案内されている。このようにして設けられた椅子が折りたたみシートを有するならば、幾つかの椅子は互いから比較的小さい距離を有する椅子の支柱によって互いに移動できる。これは椅子のスペース節約保管に役立ち、また椅子のグループ全体をある場所から別の場所へ移動させるのにも役立つ。従って、椅子は互いに確定した位置をとり、また保つことが望ましい。
【０００３】
【特許文献１】DE1812282 (US3656593)
【特許文献２】DE1931021
【発明の開示】
【発明が解決しようとする課題】
【０００４】
本発明の目的は、直立チューブとガススプリングのハウジングが互いに対して確定した回転角度の位置をとることができ、またそれらがこの位置を維持するように、高さ調節可能な椅子の支柱を具体化することである。
【課題を解決するための手段】
【０００５】
本発明に従えば、この目的は請求項１の特徴により達成される。本発明のデザインにより、直立チューブからガススプリングのハウジングを完全に伸ばしたとき、ハウジングと直立チューブは少なくとも実質的に回転不可能に互いにおさえられ、互いに固定された回転位置をとる。鎖錠の力により固定される。しかしながら、請求項２に従うポジティブフィットは特別な利点がある。なぜなら、それはより信頼できるからである。ポジティブフィットによる組立は次のように構成できる。つまり、請求項３に従えば、所与の回転モーメントを超えるとき、それは外れる。請求項４がこの好ましい実施形態を再現する。
【０００６】
請求項５は特に簡単な実施形態を明らかにし、請求項６は、回転に抗してポジティブフィットする安全装置（セーフガード）の製造方法の特に簡単な方法を再現する。請求項７及び８は、オーバーロードの際に解除を行う方法を再現する。請求項９及び１０は、回転方向に遊びのない備え付け（シーティング）を実現する方法を明らかにする。
【０００７】
請求項１１の処置は次のことを実現するのに役立つ。つまり、回転に抗する安全装置は、鎖錠要素及び鎖錠合口部の相互係合の或る所与の位置においてのみ効果的になる。
【０００８】
本発明の別な利点、特徴及び詳細は、図面に則して、後の例示の実施形態の記述から明らかになるだろう。
【発明を実施するための最良の形態】
【０００９】
図中に見える椅子の支柱は、直立チューブ１と長さ調節可能なガススプリング４を有する。このスプリングは、共通する中央縦軸３の方向に移動するためにガイドブッシュによって案内される。直立チューブ１の下端には、従来の椅子の台座に取り付けるための保持コーンが設けられている。
【００１０】
ガススプリング４は、ガイドブッシュ２に案内された実質的に円筒形のハウジング６を有する。内部チューブ７が軸３の同心にハウジング６に配置されており、リングチャネル８が内部チューブ７とハウジング６の間に設けられている。バルブ９がハウジング６において、直立チューブ１の外側にあるその上端に配置されている。バルブ９は、ハウジング６から突出した操作ピン１０によって操作可能である。それは、リングチャネル８を第一部分ハウジングチャンバ１１に任意に接続する働きをする。このチャンバは、バルブ９の付近に内部チューブ７の内側に形成される。
【００１１】
ピストンロッド１２は軸３の同心に、その方向の移動のために内部チューブ７に配置される。それは、直立チューブ１内部のバルブ９の反対側にあるハウジング６の下端から伸びる。ガイド及びシールユニット１３が、この領域でピストンロッド１２を気密に案内するために働く。ピストン１４は内部チューブ７の内側に、ピストンロッド１２の端に設けられる。それ（ピストン）は内部チューブ７に案内され、密封され、第一部分ハウジングチャンバ１１を、ピストン１４とガイド及びシールユニット１３の間に形成された第二部分ハウジングチャンバ１５から分離している。円錐状に先細りした固定部１６が、バルブ９付近のその端にハウジング６に形成される。固定部１６によって、ガススプリング４はシートの底面の対応する受け口、例えばシート支持体に取り付け可能である。ハウジング６の外側、その下端では、ピストンロッド１２は直立チューブ１の底部１８の軸受け１７によって支持される。底部では、それは固定クランプ１９によって解除可能に固定される。
【００１２】
リングチャネル８及び部分ハウジングチャンバ１１、１５は、比較的高い圧力下でガスで満たされ、また場合によっては所与の量のオイルで満たされる。ガイド及びシールユニット１３の付近では、第二部分ハウジングチャンバ１５がオーバーフローチャネル２０によってリングチャネル８に永続的に接続される。バルブ９は押されている操作ピン１０により、従ってハウジング６の所与の十分な緩和により開けられ、ピストンロッドは押し出される。すなわちハウジング６は直立チューブ１から上方へ押される。ハウジング６に作用する対応する負荷により、それは下方に直立チューブの中に押され、ピストンロッド１２はハウジング６の中に収縮する。バルブ９が操作ピン１０の緩和により閉められると、ピストンロッド１２と共にハウジング６は、元のように、ハウジング６に広がる圧力により、柔軟な弾性鎖錠のためのガスの充満及び主に強固な鎖錠のための主に液体の充満によってロックされる。ガススプリング４の全体構造及び操作モードが−先に述べた限り−例えば特許文献１の基本特許から広く知られている。同様に、椅子の支柱の基本構造及びモードが特許文献２から知られている。
【００１３】
その外側では、ガイドブッシュ２が縦リブ２１を有し、これにより、それ（縦リブ）は軸３の放射状に直立チューブ１の内壁２２に支持される。対応する縦溝２３は縦リブ２１の間に形成される。直立チューブ１の内部の、ガイドブッシュ２の端には、リング２５と固定リブ２６を実質的に含む鎖錠合口部２４が設けられている。リングと固定リブはその上に形成され、縦溝２３に挿入され、軸３と平行に延びている。これら固定リブ２６によって、合口部２４は、特に回転不可能に、ガイドブッシュ２にしっかり設けられる。超音波溶接などにより、それはガイドブッシュ２に結合される。そこでは、それはクランプによって保持されている。ガイドブッシュ２も溶接可能なプラスチック材料から成る。ガイドブッシュ２自体は直立チューブ１に圧入され、場合によっては付加的な固定手段によって回転に抗して十分に固定される。
【００１４】
実質的にリングの形状をした鎖錠要素は、ハウジング６に、その端に設けられる。それはガイド及びシールユニット１３の方に向き、ピストンロッドが存在する場所に位置する。ガイドブッシュ２、合口部２４及び鎖錠要素２７は回転に抗する安全装置を構成する。合口部２４及び要素２７はそれぞれ切抜部２８、２９を備えており、それにより鎖錠リブ３０、３１が形成される。従って、切抜部２８、２９及びリブ３０、３１は次のようである。つまり、合口部２４の鎖錠リブ３０は要素２７の切抜部２９と係合し、要素２７のリブ３１は合口部２４の切抜部２８と係合し、遊びがない。リブ３０、３１はそれぞれ傾斜面３２、３３を有する。傾斜面は軸３に対してある角度で配置されており、切抜部２８、２９はそれらのそれぞれの開いた面の方へ広がる。要素２７が合口部２４と係合する際、互いに割り当てられる傾斜面３２、３３は、軸３と平行な線に対して同じ開口角ａを有する。鎖錠リブ３０、３１の周辺が伸びるので、鎖錠要素２７が鎖錠合口部２４に入るとき、軸３の方向の隙間３６、３７はそれぞれ、合口部２４の切抜部２８の底部３４と鎖錠要素２７の鎖錠リブ３１の間、及び鎖錠要素の切抜部２９の底部３５と鎖錠リブ３０の間に残っている。この場合、傾斜面３２、３３は互いにしっかり当接し、合口部２４に対する鎖錠要素２７の接線方向の遊び、すなわち回転する遊びがない。
【００１５】
直立チューブ１からガススプリング４のハウジング６の引き出しが完了する際、ガススプリング４のハウジング６の対応する回転により、又は軸３の回りに直立チューブ１に対してそこに固定されたシートの対応する回転により、鎖錠要素２７は鎖錠合口部２４に対して、それが先に述べたように合口部２４に係合する位置まで動くことができ、従って回転不可能にそこに結合される。この位置では、固定部１６に固定されるシートは、直立チューブ１に固定された台座に対してこれ以上回転できない。
【００１６】
ハウジング６と直立チューブ１の間で作用する対応する回転モーメントにより、鎖錠要素２７と鎖錠合口部２４が傾斜面３２、３３を介して軸３の方向に離れて力を加えられるように、開口角ａは選択される。内部のガス圧、傾斜面３２、３３の平均半径ｒ、及び許容できると考えられる回転モーメントのために、引き出した状態において、ピストンロッド１２及びハウジング６の間に存在する押出力の調整により、寸法決めは影響を及ぼされる。その結果、所与の回転モーメントに達するまで、回転に抗する安全装置がポジティブフィットにより働く。５°≦ａ≦２５°、好ましくは１０°≦ａ≦１５°が開口角ａに当てはまる。
【図面の簡単な説明】
【００１７】
【図１】収縮状態の椅子の支柱の縦断面図である。
【図２】完全に伸びた状態の図１に従う椅子の支柱の図である。
【図３】椅子の支柱の回転に抗する安全装置の斜視分解組立図である。
【符号の説明】
【００１８】
１  直立チューブ
３  中央縦軸
６  ハウジング
１２  ピストンロッド
２、２４、２７  安全装置
【図１】
2005205207.tif 000003
【図２】
2005205207.tif 000004
【図３】
2005205207.tif 000005